(57)【特許請求の範囲】
【請求項１】
自動販売機の扉を開けるための鍵穴部の周囲に取付けられた自動販売機用防犯ガードにおいて、
前記扉の前面側に取り付けられ、
前記扉の背面側から固定され、
表面にカバーを有し、前記カバーの内側に繊維状の材料からなるシートが複数重ねられて装填されたことを特徴とする自動販売機用防犯ガード。
【発明の詳細な説明】
【０００１】
【発明の属する技術分野】
本発明は、自動販売機に取付けられる防犯ガードに係り、特に、ドリルやグラインダによる破損を防止できる自動販売機用防犯ガードに関するものである。
【０００２】
【従来の技術】
従来より、自動販売機には破壊や盗難などの被害を防止するために、防犯ガードが取付けられている。ここで、自動販売機用防犯ガードの従来例について、図６を用いて具体的に説明する。図６に示すように、自動販売機１は、商品その他の内部機器が収容された本体箱２と、この本体箱２の前面に開閉可能に設けられた扉３とを備えている。
【０００３】
扉３の図中左端部の中ほどには鍵穴部４が取付けられている。鍵穴部４の内部には鍵を挿入して操作することにより、扉３を開閉可能状態あるいは開閉不能状態にするロック部（図示せず）が設けられている。自動販売機１に対する被害は、この鍵穴部４の周囲にドリルにより穴が開けられ、鍵部分またはロック部を破損させて扉３が開けられるケースが一般的である。そこで、鍵穴部４の周囲に防犯ガード５が設置されている。防犯ガード５は通常、厚い鉄板から構成されており、化粧ボルト６によって扉３に固定されている。
【０００４】
【発明が解決しようとする課題】
ところで近年では、極めて硬度の高い超硬ドリルが実用化されている。この超硬ドリルの使用により防犯ガード５に穴が開けられしまう。また最近では、ハンディタイプのグラインダが普及しており、その性能も大きく向上している。そのため、グラインダによって取付用ボルト６を削り取り、防犯ガード５を取外すといった被害も多発している。このような状況に鑑み、超硬ドリルでも穴の開くことがなく、さらにはグラインダによる破損を回避できる強い防犯ガードが求められている。
【０００５】
本発明は、上記の課題を解決するために提案されたものであり、その目的は、超硬ドリルやグラインダによる破損を確実に防ぐことが可能な防犯性の極めて高い自動販売機用防犯ガードを提供することにある。
【０００６】
【課題を解決するための手段】
上記の目的を達成するために、本発明は、自動販売機の扉を開けるための鍵穴部の周囲に取付けられた自動販売機用防犯ガードにおいて、以下の特徴を有している。
【０００７】
すなわち、本願発明は、自動販売機の扉を開けるための鍵穴部の周囲に取付けられた自動販売機用防犯ガードにおいて、前記扉の前面側に取り付けられ、前記扉の背面側から固定され、表面にカバーを有し、前記カバーの内側に繊維状の材料からなるシートが複数重ねられて装填されたことを特徴とする。本願発明では、防犯ガードが扉の背面側から固定されるため、扉を閉めた状態では外側からは取付位置が分からない。そのため、従来のように取付用ボルトがグラインダで削り取られる心配がない。したがって、防犯ガードが取外されることがなく、高い防犯性を得ることができる。
【０００９】
さらに本願発明は、繊維状の材料からなるシートが複数重ねられて装填されたことを特徴とする。これにより、ドリルで穴を開けようとした場合、ドリルがシートに当たると、シートを構成している繊維状の材料が細かく引き裂かれる。そして、ドリルの回転に伴って引き裂かれた繊維状の材料がドリルに絡まる。このとき、シートを複数重ねているため、繊維状の材料は複雑にドリルに絡み付き、ドリルをロックすることができる。回転することができなければ、超硬ドリルであっても防犯ガードに穴を開けることができず、防犯ガードは鍵部分またはロック部を守ることができる。したがって、極めて高い防犯性を発揮することができる。また、鉄板を使用する必要がないため、軽量化を図ることが可能である。
【００１０】
【発明の実施の形態】
（１）第１の実施の形態
［構成］
請求項１及び２記載の発明に対応する第１の実施の形態について、図１の斜視図及び図２の平面図を参照して以下に説明する。なお、上述の従来技術と同様の部材は同一の符号を付して説明を省略する。第１の実施の形態に係る防犯ガード７は、焼入れが施された鉄板から構成されている。また、防犯ガード７は扉３の背面側から取付用ボルト６によって固定されている（図２参照）。
【００１１】
［作用効果］
以上の構成を有する第１の実施の形態の作用効果は次の通りである。すなわち、焼入れを施した鉄板を採用することにより防犯ガード７の硬度を高めることができる。そのため、超硬ドリルであっても穴開け作業が困難になり、ドリルによる破損を防ぐことができる。また、防犯ガード７は扉３の背面側から固定されるため、扉３を閉めた状態では外部からは取付位置が分からず、取付用ボルト６がグラインダで削り取られる心配がない。したがって、防犯ガード７の取外しを防ぐことができ、いっそう防犯性が向上する。
【００１２】
（２）第２の実施の形態
［構成］
続いて、第２の実施の形態について図３〜図５を用いて具体的に説明する。第２の実施の形態は請求項２及び３に対応しており、図３は第２の実施の形態が自動販売機に取付けられた状態の斜視図、図４は第２の実施の形態の斜視図、図５は図４のＡ−Ａ断面図である。なお、上述の従来技術と同様の部材は同一の符号を付して説明を省略する。
【００１３】
第２の実施の形態に係る防犯ガード８は、表面にプラスチック製のカバー８ａが形成され、その内側に樹脂系の布９が複数重ねられて装填されたことに特徴がある。樹脂系の布９は、ケブラー繊維などの高強度、高弾性の繊維状材料からなるシートから構成されている。また、上記第１の実施の形態と同様、防犯ガード８は扉３の背面側から取付用ボルト６により固定されている。
【００１４】
［作用効果］
以上の構成を有する第２の実施の形態においては、防犯ガード８にドリルで穴を開けようとした場合、カバー８ａに対して穴を開けることができても、ドリルが樹脂系の布９に達すると、ドリルにより布９が細かく引き裂かれていき、引き裂かれた布９がドリルの回転に伴ってドリルに絡まっていく。このとき、樹脂系の布９は複数重ねているので複雑にドリルに絡み付くことになる。そして、ドリルが回転すればするほど、樹脂系の布９はドリルに絡みつき、ドリルをロックすることができる。回転することができなければ、いかに硬い超硬ドリルであっても防犯ガード８に穴を貫通させることができない。したがって、第２の実施の形態によれば、鍵部分またはロック部を守ることができ、極めて高い防犯性を発揮することができる。
【００１５】
また、第２の実施の形態は、上記第１の実施の形態と同じく、防犯ガード８が扉３に対する取付部を覆っているので、外部から取付位置が分からず、取付部がグラインダで削り取られるおそれがない。さらに、第２の実施の形態では、防犯ガード８に鉄板を使用していない分、軽量化できるといった利点もある。
【００１６】
なお、本発明は、上記のような２つの実施の形態に限定されるものではなく、各構成部材の大きさや形状、あるいは繊維状の樹脂からなるシートの枚数または樹脂の種類などは適宜変更可能である。例えば、防犯ガードの設置箇所としては鍵穴部の周囲であれば、扉の背面側であっても良い。また、防犯ガードに装填されるシートの繊維状材料としては、繊維となって絡みつけば良く、繊維状のスチールやガラス繊維であっても良い。
【００１７】
【発明の効果】
以上説明した通り、本発明の自動販売機用防犯ガードによれば、焼入れを施した鉄板から構成する、扉の背面側から取付ける、あるいは繊維状の材料からなるシートを複数装填するといった構成により、超硬ドリルやグラインダによる破損を防ぐことができ、鍵部分またはロック部を確実にガードして防犯性の向上を図ることができる。
【図面の簡単な説明】
【図１】本発明の第１の実施の形態が自動販売機に取付けられた状態の斜視図。
【図２】第２の実施の形態の平面図。
【図３】本発明の第２の実施の形態が自動販売機に取付けられた状態の斜視図。
【図４】第２の実施の形態の斜視図。
【図５】図４のＡ−Ａ断面図。
【図６】自動販売機に取付けられた状態の従来の防犯ガードの斜視図。
【符号の説明】
１…自動販売機
２…本体箱
３…扉
４…鍵穴部
５，７，８…防犯ガード
６…取付用ボルト
８ａ…カバー
９…樹脂系の布
【図１】
0004522541.tif 000002
【図２】
0004522541.tif 000003
【図３】
0004522541.tif 000004
【図４】
0004522541.tif 000005
【図５】
0004522541.tif 000006
【図６】
0004522541.tif 000007